(57)【特許請求の範囲】
【請求項１】
電磁波を用いて携帯端末装置との間で通信情報を送受信する携帯端末通信部と、
前記携帯端末通信部の送受信する通信情報に付される前記携帯端末通信部の識別情報である無線通信装置識別情報を変更する識別情報変更部と、
前記識別情報変更部の変更した無線通信装置識別情報を暗号化する識別情報暗号化部と、
前記識別情報暗号化部の暗号化した無線通信装置識別情報を記憶し、前記携帯端末通信部の送受信に用いられる電磁波と異なる電磁波を用いて無線通信装置識別情報を外部から読み出させる識別情報読出部と、
前記識別情報変更部に無線通信装置識別情報を変更させる識別情報制御部と、
前記携帯端末装置に固有の識別情報である携帯端末識別情報を外部から取得する携帯端末識別情報取得部と、
前記携帯端末識別情報取得部の取得する携帯端末識別情報を記憶する識別情報記憶部と、
を備え、
前記識別情報制御部は、
前記携帯端末通信部の送受信する通信情報に付される前記携帯端末装置の識別情報と前記識別情報記憶部に記憶されている携帯端末識別情報との一致と不一致を判定し、不一致と判定すると前記識別情報変更部に無線通信装置識別情報を変更させる
ことを特徴とする無線通信装置。
【請求項２】
電磁波を用いて携帯端末装置との間で通信情報を送受信する携帯端末通信部と、
前記携帯端末通信部の送受信する通信情報に付される前記携帯端末通信部の識別情報である無線通信装置識別情報を変更する識別情報変更部と、
前記識別情報変更部の変更した無線通信装置識別情報を暗号化する識別情報暗号化部と、
前記識別情報暗号化部の暗号化した無線通信装置識別情報を記憶し、前記携帯端末通信部の送受信に用いられる電磁波と異なる電磁波を用いて無線通信装置識別情報を外部から読み出させる識別情報読出部と、
前記識別情報変更部に無線通信装置識別情報を変更させる識別情報制御部と、
を備え、
前記識別情報制御部は、
前記携帯端末通信部の送受信に用いられる電磁波と異なる電磁波又は当該電磁波を用いて伝送された情報を検出する識別情報検出回路を含み、前記識別情報検出回路は当該電磁波又は当該電磁波を用いて伝送された情報を検出すると前記識別情報変更部に無線通信装置識別情報を変更させる
ことを特徴とする無線通信装置。
【請求項３】
前記識別情報変更部の変更した無線通信装置識別情報を表示する識別情報表示部をさらに備える
ことを特徴とする請求項１又は２に記載の無線通信装置。
【請求項４】
前記識別情報制御部は、
時間を計測するタイマーを含み、前記タイマーが所定時間の経過を計測するときに前記識別情報変更部に無線通信装置識別情報を変更させる
ことを特徴とする請求項１から３のいずれかに記載の無線通信装置。
【請求項５】
前記識別情報制御部は、
機械的変化を感知する入力スイッチを含み、前記入力スイッチは機械的変化を感知すると前記識別情報変更部に無線通信装置識別情報を変更させる
ことを特徴とする請求項１から４のいずれかに記載の無線通信装置。
【請求項６】
前記識別情報読出部は、
前記識別情報暗号化部の暗号化した無線通信装置識別情報を、前記携帯端末通信部の送受信に用いられる電磁波と異なる電磁波を用いて前記携帯端末装置に発信する
ことを特徴とする請求項１から５のいずれかに記載の無線通信装置。
【請求項７】
入力された文字列を前記携帯端末装置に固有の暗号鍵として取得する暗号鍵取得部をさらに備え、
前記識別情報暗号化部は、
前記識別情報変更部の変更した無線通信装置識別情報を、前記暗号鍵取得部が取得した暗号鍵を用いて解読可能な暗号に暗号化する
ことを特徴とする請求項１から６のいずれかに記載の無線通信装置。
【請求項８】
前記携帯端末装置に固有の暗号鍵を、画像を撮像して取得する暗号鍵取得部をさらに備え、
前記識別情報暗号化部は、
前記識別情報変更部の変更した無線通信装置識別情報を、前記暗号鍵取得部が取得した暗号鍵を用いて解読可能な暗号に暗号化する
ことを特徴とする請求項１から６のいずれかに記載の無線通信装置。
【請求項９】
電磁波を用いて携帯端末装置との間で通信情報を送受信する携帯端末通信部、
前記携帯端末通信部の送受信する通信情報に付される前記携帯端末通信部の識別情報である無線通信装置識別情報を変更する識別情報変更部、
前記識別情報変更部の変更した無線通信装置識別情報を暗号化する識別情報暗号化部、
前記識別情報暗号化部の暗号化した無線通信装置識別情報を記憶し、前記携帯端末通信部の送受信に用いられる電磁波と異なる電磁波を用いて無線通信装置識別情報を外部から読み出させる識別情報読出部、
前記識別情報変更部に無線通信装置識別情報を変更させる識別情報制御部、
前記携帯端末装置に固有の識別情報である携帯端末識別情報を外部から取得する携帯端末識別情報取得部、及び、
前記携帯端末識別情報取得部の取得する携帯端末識別情報を記憶する識別情報記憶部
を備える無線通信装置と、
電磁波を用いて前記無線通信装置との間で通信情報を送受信する無線装置通信部、
前記無線装置通信部の送受信する通信情報に付される前記無線通信装置の識別情報である無線通信装置識別情報を、前記携帯端末通信部の送受信に用いられる電磁波と異なる電磁波を用いて読み取る無線通信装置識別情報読取部、及び、
前記無線通信装置識別情報読取部の読み取った暗号化されている無線通信装置識別情報を復号する識別情報復号部
を備える携帯端末装置と、
を備え、
前記識別情報制御部は、
前記携帯端末通信部の送受信する通信情報に付される前記携帯端末装置の識別情報と前記識別情報記憶部に記憶されている携帯端末識別情報との一致と不一致を判定し、不一致と判定すると前記識別情報変更部に無線通信装置識別情報を変更させる
ことを特徴とする無線通信システム。
【請求項１０】
電磁波を用いて携帯端末装置との間で通信情報を送受信する携帯端末通信部、
前記携帯端末通信部の送受信する通信情報に付される前記携帯端末通信部の識別情報である無線通信装置識別情報を変更する識別情報変更部、
前記識別情報変更部の変更した無線通信装置識別情報を暗号化する識別情報暗号化部、
前記識別情報暗号化部の暗号化した無線通信装置識別情報を記憶し、前記携帯端末通信部の送受信に用いられる電磁波と異なる電磁波を用いて無線通信装置識別情報を外部から読み出させる識別情報読出部、及び、
前記識別情報変更部に無線通信装置識別情報を変更させる識別情報制御部
を備える無線通信装置と、
電磁波を用いて前記無線通信装置との間で通信情報を送受信する無線装置通信部、
前記無線装置通信部の送受信する通信情報に付される前記無線通信装置の識別情報である無線通信装置識別情報を、前記携帯端末通信部の送受信に用いられる電磁波と異なる電磁波を用いて読み取る無線通信装置識別情報読取部、及び、
前記無線通信装置識別情報読取部の読み取った暗号化されている無線通信装置識別情報を復号する識別情報復号部
を備える携帯端末装置と、
を備え、
前記識別情報制御部は、
前記携帯端末通信部の送受信に用いられる電磁波と異なる電磁波又は当該電磁波を用いて伝送された情報を検出する識別情報検出回路を含み、前記識別情報検出回路は当該電磁波又は当該電磁波を用いて伝送された情報を検出すると前記識別情報変更部に無線通信装置識別情報を変更させる
ことを特徴とする無線通信システム。
【発明の詳細な説明】
【技術分野】
【０００１】
本発明は、携帯端末との間で無線通信（例えば、Ｂｌｕｅｔｏｏｔｈである。）を行うことのできる無線通信装置と、当該無線通信装置と送受信を行う携帯端末装置と、当該無線通信装置及び当該携帯端末装置を備える無線通信システムに関する。
【背景技術】
【０００２】
Ｂｌｕｅｔｏｏｔｈ（登録商標）無線技術を用いたものをはじめとして、狭い範囲内で情報の送受信を行う短距離無線通信システムが提案されている（例えば、特許文献１参照。）。短距離無線通信システムは、使用電力が少ないので携帯電話に搭載することができる。
【０００３】
例えば、Ｂｌｕｅｔｏｏｔｈ（登録商標）無線技術を用いた短距離無線通信システムでは、商用に公開された周波数帯域を使用し、Ｂｌｕｅｔｏｏｔｈ（登録商標）無線技術を搭載したデバイスを検索し、検索の結果得られたデバイスの識別情報を用いてデバイス間のリンクを確立し、通信情報を送受信する。
【特許文献１】特開２００２−６３６５２号公報
【発明の開示】
【発明が解決しようとする課題】
【０００４】
上記のように、従来のＢｌｕｅｔｏｏｔｈ（登録商標）無線技術を用いた短距離無線通信システムでは、Ｂｌｕｅｔｏｏｔｈ（登録商標）無線技術を搭載したデバイスからであれば識別情報が取得できる。このため、短距離無線通信システムを用いて携帯端末装置と無線通信装置との間で通信情報を送受信した場合に、通信情報が第三者から盗聴される可能性があった。
【０００５】
第三者の盗聴を防ぐ方法としては、リンクを確立する際の、携帯端末装置又は無線通信装置の少なくともいずれかの識別情報の暗号化が考えられる。しかし、識別情報が変更されないので、一旦リンクを確立してしまえば暗号を解くことなく識別情報を取得することができる。このため、無線通信装置との送受信が許可されていない第三者であって、リンクの確立されている携帯端末装置と無線通信装置との間で送受信されている通信情報を盗聴することができるという問題があった。
【０００６】
故に、本発明は、無線通信装置と送受信することを許可された携帯端末装置以外の携帯端末装置による通信情報の受信を防止することを目的とする。
【課題を解決するための手段】
【０００７】
本発明は、携帯端末情報の識別情報と無線通信装置の識別情報とを用いて送受信する無線通信システムと、当該無線通信システムに用いられる無線通信装置及び携帯端末装置であって、無線通信装置の識別情報を変更し、暗号を復号する暗号鍵を所有する携帯端末装置のみが無線通信装置の変更後の識別情報を取得し、送受信することを特徴とする。
【０００８】
無線通信装置の識別情報を変更するので、変更後の識別情報を取得した携帯端末装置のみに無線通信装置との送受信を許可することができる。又、変更後の識別情報を暗号化した上で読み出し可能とするので、暗号を解く暗号鍵を取得した携帯端末装置のみが変更後の識別情報を取得することができる。これにより、無線通信装置と送受信することを許可された携帯端末装置に暗号鍵を付与すれば、無線通信装置と送受信することを許可された携帯端末装置以外の携帯端末装置による通信情報の受信を防止することができる。
【０００９】
具体的には、本発明に係る無線通信装置は、電磁波を用いて携帯端末装置との間で通信情報を送受信する携帯端末通信部と、前記携帯端末通信部の送受信する通信情報に付される前記携帯端末通信部の識別情報である無線通信装置識別情報を変更する識別情報変更部と、前記識別情報変更部の変更した無線通信装置識別情報を暗号化する識別情報暗号化部と、前記識別情報暗号化部の暗号化した無線通信装置識別情報を記憶し、前記携帯端末通信部の送受信に用いられる電磁波と異なる電磁波を用いて無線通信装置識別情報を外部から読み出させる識別情報読出部と、前記識別情報変更部に無線通信装置識別情報を変更させる識別情報制御部と、前記携帯端末装置に固有の識別情報である携帯端末識別情報を外部から取得する携帯端末識別情報取得部と、前記携帯端末識別情報取得部の取得する携帯端末識別情報を記憶する識別情報記憶部と、を備え、前記識別情報制御部は、前記携帯端末通信部の送受信する通信情報に付される前記携帯端末装置の識別情報と前記識別情報記憶部に記憶されている携帯端末識別情報との一致と不一致を判定し、不一致と判定すると前記識別情報変更部に無線通信装置識別情報を変更させることを特徴とする。
【００１０】
携帯端末通信部が更新された無線通信装置識別情報を識別情報に用いて通信情報を送受信するので、更新した無線通信装置識別情報を取得していない携帯端末装置が通信情報の受信をすることを防止することができる。さらに、識別情報読出部に記憶されている無線通信装置識別情報が暗号化されているので、暗号を解く鍵を取得した携帯端末装置のみが変更後の識別情報を取得し、無線通信装置との通信情報の送受信を行うことができる。ここで、外部とは、無線通信装置の外部である。これにより、無線通信装置と送受信することを許可された携帯端末に暗号を復号することのできる暗号鍵を付与すれば、無線通信装置と送受信することを許可された携帯端末装置以外の携帯端末装置による通信情報の受信を防止することができる。
識別情報制御部が無線通信装置識別情報の変更を指示するので、識別情報制御部の設定に応じて無線通信装置識別情報の変更のタイミングを変更することができる。
携帯端末識別情報取得部が無線通信装置の外部から入力される携帯端末識別情報を取得する。ここで、外部とは、無線通信装置の外部である。識別情報記憶部が通信情報の送受信を許可した携帯端末装置の識別情報を記憶すれば、携帯端末通信部の送受信する携帯端末装置が通信情報の送受信を許可した携帯端末装置であるか否かを判定することができる。これにより、通信情報の送受信を許可した携帯端末装置とは異なる携帯端末装置が通信情報の送受信を行っている場合に、無線通信装置識別情報を変更し、通信情報の送受信を許可していない携帯端末装置の受信を遮断することができる。
【００１１】
具体的には、本発明に係る無線通信装置は、電磁波を用いて携帯端末装置との間で通信情報を送受信する携帯端末通信部と、前記携帯端末通信部の送受信する通信情報に付される前記携帯端末通信部の識別情報である無線通信装置識別情報を変更する識別情報変更部と、前記識別情報変更部の変更した無線通信装置識別情報を暗号化する識別情報暗号化部と、前記識別情報暗号化部の暗号化した無線通信装置識別情報を記憶し、前記携帯端末通信部の送受信に用いられる電磁波と異なる電磁波を用いて無線通信装置識別情報を外部から読み出させる識別情報読出部と、前記識別情報変更部に無線通信装置識別情報を変更させる識別情報制御部と、を備え、前記識別情報制御部は、前記携帯端末通信部の送受信に用いられる電磁波と異なる電磁波又は当該電磁波を用いて伝送された情報を検出する識別情報検出回路を含み、前記識別情報検出回路は当該電磁波又は当該電磁波を用いて伝送された情報を検出すると前記識別情報変更部に無線通信装置識別情報を変更させることを特徴とする。
【００１２】
携帯端末通信部が更新された無線通信装置識別情報を識別情報に用いて通信情報を送受信するので、更新した無線通信装置識別情報を取得していない携帯端末装置が通信情報の受信をすることを防止することができる。さらに、識別情報読出部に記憶されている無線通信装置識別情報が暗号化されているので、暗号を解く鍵を取得した携帯端末装置のみが変更後の識別情報を取得し、無線通信装置との通信情報の送受信を行うことができる。ここで、外部とは、無線通信装置の外部である。これにより、無線通信装置と送受信することを許可された携帯端末に暗号を復号することのできる暗号鍵を付与すれば、無線通信装置と送受信することを許可された携帯端末装置以外の携帯端末装置による通信情報の受信を防止することができる。
識別情報制御部が無線通信装置識別情報の変更を指示するので、識別情報制御部の設定に応じて無線通信装置識別情報の変更のタイミングを変更することができる。
識別情報読出部に記憶されている無線通信装置識別情報を読み出すことのできる電磁波又は当該電磁波を用いて伝送された情報を識別情報検出回路が検出することができるので、識別情報読出部が無線通信装置識別情報を読み出されたことをきっかけとして無線通信装置識別情報を変更することができる。
【００１３】
前記識別情報変更部の変更した無線通信装置識別情報を表示する識別情報表示部をさらに備えることが好ましい。
【００１４】
無線通信装置が変更後の無線通信装置識別情報を表示するので、携帯端末装置に暗号を復号することのできる暗号鍵を付与することなく通信情報の送受信を許可することができる。これにより、無線通信装置識別情報が変更されるまでの間のみ携帯端末装置に通信情報の送受信を許可することができる。
【００１５】
前記識別情報制御部は、時間を計測するタイマーを含み、前記タイマーが所定時間の経過を計測するときに前記識別情報変更部に無線通信装置識別情報を変更させることが好ましい。
【００１６】
識別情報制御部が所定時間ごとに無線通信装置識別情報を変更させるので、同一の無線通信装置識別情報が使用される期間を所定時間に限定することができる。これにより、暗号鍵を所有しない携帯端末装置が通信情報の送受信できる期間を一定時間に限定することができる。
【００１９】
前記識別情報制御部は、機械的変化を感知する入力スイッチを含み、前記入力スイッチは機械的変化を感知すると前記識別情報変更部に無線通信装置識別情報を変更させることが好ましい。
【００２０】
識別情報変更部に無線通信装置識別情報を変更させる入力スイッチをさらに備えるので、任意のタイミングで無線通信装置識別情報を変更することができる。
【００２３】
前記識別情報読出部は、識別情報暗号化部の暗号化した無線通信装置識別情報を、前記携帯端末通信部の送受信に用いられる電磁波と異なる電磁波を用いて前記携帯端末装置に発信することが好ましい。
【００２４】
識別情報読出部が無線通信装置識別情報を発信するので、携帯端末装置は暗号化された変更後の無線通信装置識別情報を自動的に受信することができる。変更後の無線通信装置識別情報を自動的に受信できるので、暗号鍵を所有している携帯端末装置は、無線通信装置と継続的に通信情報を送受信することができる。これにより、暗号鍵を所有する携帯端末装置のみに通信情報の送受信を継続的に許可することができる。
【００２５】
入力された文字列を前記携帯端末装置に固有の暗号鍵として取得する暗号鍵取得部をさらに備え、前記識別情報暗号化部は、前記識別情報変更部の変更した無線通信装置識別情報を、前記暗号鍵取得部が取得した暗号鍵を用いて解読可能な暗号に暗号化することが好ましい。
【００２６】
識別情報暗号化部が暗号鍵取得部に入力された文字列を暗号鍵とする暗号化を行うので、携帯端末装置のユーザが選択する文字列を暗号鍵に用いることができる。
【００２７】
前記携帯端末装置に固有の暗号鍵を、画像を撮像して取得する暗号鍵取得部をさらに備え、前記識別情報暗号化部は、前記識別情報変更部の変更した無線通信装置識別情報を、前記暗号鍵取得部が取得した暗号鍵を用いて解読可能な暗号に暗号化することが好ましい。
【００２８】
暗号鍵取得部が画像を撮像して暗号鍵を取得するので、暗号鍵取得部と携帯端末装置とで撮像した画像を暗号鍵とする暗号化を識別情報暗号化部は行うことができる。これにより、携帯端末装置がカメラツールを備えていれば、簡易な方法で携帯端末装置に暗号鍵を付与することができる。又、解読の困難な暗号化を行うことができる。
【００２９】
又、本発明に係る無線通信システムは、電磁波を用いて携帯端末装置との間で通信情報を送受信する携帯端末通信部、前記携帯端末通信部の送受信する通信情報に付される前記携帯端末通信部の識別情報である無線通信装置識別情報を変更する識別情報変更部、前記識別情報変更部の変更した無線通信装置識別情報を暗号化する識別情報暗号化部、前記識別情報暗号化部の暗号化した無線通信装置識別情報を記憶し、前記携帯端末通信部の送受信に用いられる電磁波と異なる電磁波を用いて無線通信装置識別情報を外部から読み出させる識別情報読出部、前記識別情報変更部に無線通信装置識別情報を変更させる識別情報制御部、前記携帯端末装置に固有の識別情報である携帯端末識別情報を外部から取得する携帯端末識別情報取得部、及び、前記携帯端末識別情報取得部の取得する携帯端末識別情報を記憶する識別情報記憶部を備える無線通信装置と、電磁波を用いて前記無線通信装置との間で通信情報を送受信する無線装置通信部、前記無線装置通信部の送受信する通信情報に付される前記無線通信装置の識別情報である無線通信装置識別情報を、前記携帯端末通信部の送受信に用いられる電磁波と異なる電磁波を用いて読み取る無線通信装置識別情報読取部、及び、前記無線通信装置識別情報読取部の読み取った暗号化されている無線通信装置識別情報を復号する識別情報復号部を備える携帯端末装置と、を備え、前記識別情報制御部は、前記携帯端末通信部の送受信する通信情報に付される前記携帯端末装置の識別情報と前記識別情報記憶部に記憶されている携帯端末識別情報との一致と不一致を判定し、不一致と判定すると前記識別情報変更部に無線通信装置識別情報を変更させることを特徴とする。
【００３０】
無線通信装置に備わる携帯端末通信部と携帯端末装置に備わる無線装置通信部とが通信情報を送受信する無線通信システムにおいて、携帯端末通信部の識別情報として通信情報に付される無線通信装置識別情報を変更するので、無線通信装置識別情報を更新することのできない携帯端末装置が通信情報を送受信することを防ぐことができる。ここで、変更後の無線通信装置識別情報を暗号化した上で読み出し可能とするので、暗号鍵を所有する携帯端末装置のみが変更後の無線通信装置識別情報を取得することができる。これにより、無線通信装置と送受信することを許可された携帯端末装置に暗号鍵を付与すれば、無線通信装置と送受信することを許可された携帯端末装置以外の携帯端末装置による通信情報の受信を防止することができる。
識別情報制御部が無線通信装置識別情報の変更を指示するので、識別情報制御部の設定に応じて無線通信装置識別情報の変更のタイミングを変更することができる。
携帯端末識別情報取得部が無線通信装置の外部から入力される携帯端末識別情報を取得する。ここで、外部とは、無線通信装置の外部である。識別情報記憶部が通信情報の送受信を許可した携帯端末装置の識別情報を記憶すれば、携帯端末通信部の送受信する携帯端末装置が通信情報の送受信を許可した携帯端末装置であるか否かを判定することができる。これにより、通信情報の送受信を許可した携帯端末装置とは異なる携帯端末装置が通信情報の送受信を行っている場合に、無線通信装置識別情報を変更し、通信情報の送受信を許可していない携帯端末装置の受信を遮断することができる。
【００３５】
又、本発明に係る無線通信システムは、電磁波を用いて携帯端末装置との間で通信情報を送受信する携帯端末通信部、前記携帯端末通信部の送受信する通信情報に付される前記携帯端末通信部の識別情報である無線通信装置識別情報を変更する識別情報変更部、前記識別情報変更部の変更した無線通信装置識別情報を暗号化する識別情報暗号化部、前記識別情報暗号化部の暗号化した無線通信装置識別情報を記憶し、前記携帯端末通信部の送受信に用いられる電磁波と異なる電磁波を用いて無線通信装置識別情報を外部から読み出させる識別情報読出部、及び、前記識別情報変更部に無線通信装置識別情報を変更させる識別情報制御部を備える無線通信装置と、電磁波を用いて前記無線通信装置との間で通信情報を送受信する無線装置通信部、前記無線装置通信部の送受信する通信情報に付される前記無線通信装置の識別情報である無線通信装置識別情報を、前記携帯端末通信部の送受信に用いられる電磁波と異なる電磁波を用いて読み取る無線通信装置識別情報読取部、及び、前記無線通信装置識別情報読取部の読み取った暗号化されている無線通信装置識別情報を復号する識別情報復号部を備える携帯端末装置と、を備え、前記識別情報制御部は、前記携帯端末通信部の送受信に用いられる電磁波と異なる電磁波又は当該電磁波を用いて伝送された情報を検出する識別情報検出回路を含み、前記識別情報検出回路は当該電磁波又は当該電磁波を用いて伝送された情報を検出すると前記識別情報変更部に無線通信装置識別情報を変更させることを特徴とする。
【００３６】
無線通信装置に備わる携帯端末通信部と携帯端末装置に備わる無線装置通信部とが通信情報を送受信する無線通信システムにおいて、携帯端末通信部の識別情報として通信情報に付される無線通信装置識別情報を変更するので、無線通信装置識別情報を更新することのできない携帯端末装置が通信情報を送受信することを防ぐことができる。ここで、変更後の無線通信装置識別情報を暗号化した上で読み出し可能とするので、暗号鍵を所有する携帯端末装置のみが変更後の無線通信装置識別情報を取得することができる。これにより、無線通信装置と送受信することを許可された携帯端末装置に暗号鍵を付与すれば、無線通信装置と送受信することを許可された携帯端末装置以外の携帯端末装置による通信情報の受信を防止することができる。
識別情報制御部が無線通信装置識別情報の変更を指示するので、識別情報制御部の設定に応じて無線通信装置識別情報の変更のタイミングを変更することができる。
識別情報読出部に記憶されている無線通信装置識別情報を読み出すことのできる電磁波又は当該電磁波を用いて伝送された情報を識別情報検出回路が検出することができるので、識別情報読出部が無線通信装置識別情報を読み出されたことをきっかけとして無線通信装置識別情報を変更することができる。
【発明の効果】
【００３７】
本発明によれば、無線通信装置と送受信することを許可された携帯端末装置以外の携帯端末装置による通信情報の受信を防止することができる。
【発明を実施するための最良の形態】
【００３８】
添付の図面を参照して本発明の実施の形態を説明する。以下に説明する実施の形態は本発明の構成の例であり、本発明は、以下の実施の形態に制限されるものではない。
【００３９】
図１は、本実施形態に係る無線通信システムの構成図である。図１に示す無線通信システムは、携帯端末装置８１と、無線通信装置８２と、を備える。無線通信装置８２は、例えば、Ｂｌｕｅｔｏｏｔｈ端末である。又、携帯端末装置８１は、例えば、Ｂｌｕｅｔｏｏｔｈ通信技術が搭載されている携帯電話機である。図１では、携帯端末装置８１の構成の一例として、後に詳述する無線装置通信部２１及び暗号鍵取得部２４と、無線装置通信部２１のアンテナ５１と、携帯端末装置８１に備わる表示部５２及びキーパッド５３とが示されている。又、無線通信装置８２の構成の一例として、後に詳述する携帯端末通信部１１、識別情報読出部１５及び暗号鍵取得部１８とが示されている。
【００４０】
なお、図１では、無線通信装置８２について、一例として、無線通信装置８２ａ、８２ｂ、８２ｃが示されている。無線通信装置８２ａ、８２ｂ、８２ｃのうちの１つである無線通信装置８２ａと、携帯端末装置８１との間で通信情報５並びに通信情報５に付される無線通信装置識別情報１及び携帯端末識別情報７を送受信する。本実施形態において、無線通信装置８２は、必ずしも複数である必要はない。一方、図１に示す無線通信システムでは、携帯端末装置８１が１台のみ示されているが、これに限定されるものではなく、複数で構成されていてもよい。
【００４１】
図２は、無線通信装置８２の一例を示す構成図である。無線通信装置８２は、携帯端末通信部１１と、識別情報記憶部１２と、識別情報変更部１３と、識別情報暗号化部１４と、識別情報読出部１５と、を備えることを特徴とする。無線通信装置８２は、さらに、識別情報表示部１６と、識別情報制御部１７と、暗号鍵取得部１８と、携帯端末識別情報取得部１９と、さらに備えることが好ましい。なお、図２では、各構成に電力を供給する電源回路は省略している。
【００４２】
携帯端末通信部１１は、電磁波を用いて携帯端末装置８１との間で通信情報５を送受信する。図１に示す無線通信装置８２では、携帯端末通信部１１は、電磁波を用いて携帯端末装置８１に備わる無線装置通信部２１との間で通信情報５を送受信する。Ｂｌｕｅｔｏｏｔｈ等の短距離無線通信で用いられる電磁波は指向性が事実上ないため、携帯端末装置８１と無線通信装置８２との間で送受信される通信情報５が拡散してしまい、特定の携帯端末通信部１１と通信することが困難となる。このため、携帯端末装置８１と無線通信装置８２とは、通信情報５に付された互いの識別情報を用いて識別する。
【００４３】
携帯端末通信部１１は、無線通信装置識別情報１を識別情報に用いて無線装置通信部２１と通信情報５を送受信する。無線通信装置識別情報１は、携帯端末通信部１１に記憶されていてもよいが、識別情報記憶部１２に記憶されていてもよい。無線通信装置識別情報１は、識別情報記憶部１２から携帯端末通信部１１へ出力されたものであってもよいし、携帯端末通信部１１が識別情報記憶部１２へアクセスして読み出してもよい。ここで、無線通信装置識別情報１は、識別情報変更部１３によって随時変更される。すなわち、無線通信装置識別情報１は、グローバルユニークＩＤのような無線通信装置８２固有の識別情報ではない。
【００４４】
通信情報５には、携帯端末通信部１１の識別情報である無線通信装置識別情報１に、さらに無線装置通信部２１の識別情報である携帯端末識別情報７が付される。携帯端末装置８１に備わる無線装置通信部２１は、携帯端末通信部１１の識別情報である無線通信装置識別情報１を読み込み、該当する無線通信装置識別情報１の無線通信装置８２とリンクを確立する。例えば、図１において、無線装置通信部２１は、携帯端末通信部１１ａの識別情報である無線通信装置識別情報１ａを用いて携帯端末通信部１１ａとの間でリンクを確立し、通信情報５を送受信する。
【００４５】
通信情報５は、例えば、コンテンツ等のアプリケーション情報である。通信情報５は単独で送受信されるものではなく、無線通信装置識別情報１、携帯端末識別情報７及び通信方式に応じた諸情報と共に送受信される。携帯端末通信部１１の識別情報として通信情報５に付される無線通信装置識別情報１を変更するので、無線通信装置識別情報１を更新することのできない携帯端末装置８１が通信情報５を送受信することを防ぐことができる。さらに、無線通信装置識別情報１に暗号化情報等を使用することによって、より安全性の高い通信が可能となる。また、暗号化情報は時間的に変わるものを使うと特に有効である。
【００４６】
識別情報記憶部１２は、携帯端末識別情報取得部１９の取得する携帯端末識別情報７を記憶する。携帯端末識別情報７は、携帯端末装置８１に固有の識別情報である。携帯端末識別情報７は、例えば、ユーザＩＤ、パスワード、暗号化情報、セキュリティ情報、ネットワーク情報がある。識別情報記憶部１２の記憶する携帯端末識別情報７は、携帯端末装置８１が無線通信装置８２と通信をする際に使用する情報であることが好ましい。携帯端末識別情報取得部１９が携帯端末識別情報７以外の情報を取得する場合には、携帯端末識別情報７のみを記憶してもよいし、携帯端末識別情報７以外の情報を記憶してもよい。さらに、識別情報記憶部１２は、携帯端末通信部１１の送受信する通信情報５に付される携帯端末通信部１１の識別情報を無線通信装置識別情報１として記憶してもよい。
【００４７】
識別情報記憶部１２としては、例えば、半導体素子を利用したＲＡＭ（Ｒａｎｄｏｍ  Ａｃｃｅｓｓ  Ｍｅｍｏｒｙ）等のメモリを用いることができる。ハードディスクを用いてもよい。又、ホログラムやイオン交換膜を応用した光メモリを用いてもよい。識別情報記憶部１２が通信情報５の送受信を許可した携帯端末装置８１の識別情報を記憶すれば、携帯端末通信部１１の送受信する携帯端末装置８１が通信情報５の送受信を許可した携帯端末装置８１であるか否かを判定することができる。これにより、通信情報５の送受信を許可した携帯端末装置８１とは異なる携帯端末装置８１が通信情報５の送受信を行っている場合に、無線通信装置識別情報１を変更し、通信情報５の送受信を許可していない携帯端末装置８１の受信を遮断することができる。
【００４８】
識別情報変更部１３は、携帯端末通信部１１の送受信する通信情報５に付される携帯端末通信部１１の識別情報である無線通信装置識別情報１を変更する。無線通信装置識別情報１が識別情報記憶部１２に記憶されている場合は、識別情報記憶部１２に記録されている無線通信装置識別情報１を更新する。無線通信装置識別情報１の変更方法については限定するものではない。例えば、ユーザＩＤ、パスワード、暗号鍵、バイオメトリクス又はネットワーク情報を用いて演算処理することのできる数値や文字列に変更することができる。乱数であってもよい。ただし、他の無線通信装置に備わる携帯端末通信部１１の識別情報と重ならない算出方法であることが好ましい。
【００４９】
識別情報暗号化部１４は、識別情報変更部１３の変更した無線通信装置識別情報１を暗号化する。暗号化の方法は限定しない。暗号化の方法としては、例えば、対称暗号系（慣用暗号系）、非対称暗号系（公開鍵暗号系）、ブロック暗号又はストリーム暗号がある。又、置換暗号、排他的論理和、同期式ストリーム暗号、真性乱数、バーナム暗号、転置暗号、ＤＥＳ（Ｄａｔａ  Ｅｎｃｒｙｐｔｉｏｎ  Ｓｔａｎｄａｒｄ）、ＭＩＳＴＹ１又はＣａｍｅｌｌｉａであってもよい。暗号化の方法は、暗号化と復号に同じ鍵を使用する「共通鍵暗号方式」であってもよいし、暗号化と復号とで異なる鍵（公開鍵と秘密鍵）を使用する共通鍵暗号方式であってもよい。暗号鍵８として画像を用いる場合は、共通鍵暗号方式を用いることが好ましい。
【００５０】
識別情報暗号化部１４は、識別情報変更部１３の変更した無線通信装置識別情報１を、暗号鍵取得部１８が取得した暗号鍵８を用いて解読可能な暗号に暗号化することが好ましい。暗号鍵取得部１８に入力された文字列を暗号鍵８とする暗号化を行うので、携帯端末のユーザが選択する文字列を暗号鍵８に用いることができる。
【００５１】
識別情報暗号化部１４は、識別情報変更部１３の変更した無線通信装置識別情報１を、暗号鍵取得部１８が取得した暗号鍵８を用いて解読可能な暗号に暗号化することが好ましい。暗号鍵８が画像であれば、暗号鍵取得部１８と携帯端末装置８１に備わる暗号鍵取得部２４とで撮像した画像を暗号鍵とする暗号化を識別情報暗号化部１４は行うことができる。これにより、携帯端末装置８１がカメラツールを備えていれば、簡単な方法で携帯端末装置８１に暗号鍵８を付与することができる。又、解読の困難な暗号化を行うことができる。
【００５２】
識別情報読出部１５は、識別情報暗号化部１４の暗号化した無線通信装置識別情報１を記憶し、携帯端末通信部１１の送受信に用いられる電磁波と異なる電磁波を用いて無線通信装置識別情報１を外部から読み出させるものである。すなわち、無線通信装置８２の外部から読み出すことのできるものである。識別情報読出部１５としては、例えば、非接触ＩＣカード（ＲＦＩＤ）、無線タグ又は赤外線タグと同様の構成を用いることができる。又、可視光や赤外光等の光で読み取ることのできるバーコードを用いてもよい。バーコードは、２次元のものが好ましい。携帯端末通信部１１とは異なる方法によって読み出すことができるものが好ましい。
【００５３】
携帯端末通信部１１の送受信に用いられる電磁波と異なる電磁波は、例えば、携帯端末通信部１１の送受信する電磁波と波長又は位相の異なるものである。携帯端末通信部１１と規格や通信方式が異なるものが好ましい。識別情報読出部１５の読み出させる無線通信装置識別情報１は、識別情報読出部１５の形態に応じた情報が付される。例えば、ＲＦＩＤであれば、ユーザ領域に記憶されている無線通信装置識別情報１にユニークＩＤが付される。又、識別情報読出部１５の読み出させる無線通信装置識別情報１は、識別情報読出部１５の形態に応じた信号形態で読み出される。例えば、ＲＦＩＤであれば電波信号であるし、赤外線タグであれば赤外線信号である。
【００５４】
図３は、識別情報読出部の第１例を示す構成図である。図３に示す識別情報読出部１５ａは、無線通信装置識別情報１を記憶するメモリ３５と、特定の電磁波を受信するＲＦＩＤアンテナ３６と、ＲＦＩＤアンテナ３６を介して信号を送受信する送受信回路３２と、送受信回路３２が信号を受信するとメモリ３５に記憶されている無線通信装置識別情報１を送受信回路３２へ出力する中央処理装置３４とを備える。さらに、図３では、送受信回路３２、中央処理装置３４及びメモリ３５は、共通の集積回路３７上に搭載されている。ここで、メモリ３５としては、前述の識別情報記憶部１２で説明したものと同様のものを用いることができ、例えば、半導体素子を利用したＲＡＭ（Ｒａｎｄｏｍ  Ａｃｃｅｓｓ  Ｍｅｍｏｒｙ）等のメモリを用いることができる。又、電池３０が識別情報読出部１５ａに備わる中央処理装置３４に電力を供給する。又、中央処理装置３４は、携帯端末通信部１１と接続されており、携帯端末通信部１１が受信した通信情報５に付される情報を取得することができる。又、中央処理装置３４は、識別情報暗号化部１４を介して暗号鍵取得部１８と接続されている。これにより、特定の電磁波を用いて無線通信装置識別情報１を読み出すことができる。すなわち、パッシブ型のＲＦＩＤタグを構成することができる。
【００５５】
図４は、識別情報読出部の第２例を示す構成図である。図４に示す識別情報読出部１５ｂは、前述の図３で説明した識別情報読出部１５ａの集積回路３７の代わりに、集積回路３７にさらに電源回路３３が搭載されている集積回路３８を備える。電源回路３３は、送受信回路３２及びＲＦＩＤアンテナ３６を駆動する。このように、電源回路３３が備わることで、識別情報読出部１５ｂは特定の電磁波を用いて無線通信装置識別情報１を発信することができる。すなわち、アクティブ型のＲＦＩＤタグを構成することができる。
【００５６】
このように、識別情報読出部１５は、識別情報暗号化部１４の暗号化した無線通信装置識別情報１を、携帯端末通信部１１の送受信に用いられる電磁波と異なる電磁波を用いて携帯端末装置８１に発信することが好ましい。識別情報読出部１５が無線通信装置識別情報１を発信するので、携帯端末装置８１は暗号化された変更後の無線通信装置識別情報１を自動的に受信することができる。変更後の無線通信装置識別情報１を自動的に受信できるので、暗号鍵８を所有している携帯端末装置８１は、無線通信装置８２と継続的に通信情報５を送受信することができる。これにより、暗号鍵８を所有する携帯端末装置８１のみに通信情報５の送受信を継続的に許可することができる。
【００５７】
無線通信装置８２は、識別情報変更部１３の変更した無線通信装置識別情報１を表示する識別情報表示部１６をさらに備えることが好ましい。識別情報表示部１６としては、例えば、液晶ディスプレイ、電子ペーパを用いることができる。識別情報表示部１６は、無線通信装置識別情報１の履歴を表示してもよいし、現在時刻を表示してもよいし、携帯端末識別情報７を表示してもよい。識別情報表示部１６は、無線通信装置８２が変更後の無線通信装置識別情報１を表示するので、携帯端末装置８１に暗号を復号することのできる暗号鍵８を付与することなく通信情報５の送受信を許可することができる。これにより、無線通信装置識別情報１が変更されるまでの間のみに携帯端末装置８１に通信情報５の送受信を許可することができる。
【００５８】
無線通信装置８２は、識別情報変更部１３に無線通信装置識別情報１を変更させる識別情報制御部１７をさらに備えることが好ましい。識別情報制御部１７は、例えば、無線通信装置８２に備わる中央処理装置３１を用いることができる。無線通信装置８２が識別情報制御部１７を備えれば、識別情報制御部１７が識別情報変更部１３に無線通信装置識別情報１の変更を指示するので、識別情報制御部１７の設定に応じて無線通信装置識別情報１の変更のタイミングを変更することができる。無線通信装置識別情報１の変更のタイミングの決定は限定するものではなく、例えば、下記で説明するタイマー、入力スイッチ又は識別情報検出回路３９、或いはこれらの組み合わせによって設定することができる。
【００５９】
識別情報制御部１７は、例えば、時間を計測するタイマー４０を含み、タイマー４０が所定時間の経過を計測するときに識別情報変更部１３に無線通信装置識別情報１を変更させる。タイマー４０が所定時間の経過を計測するので、所定時間が経過したときに識別情報変更部１３に無線通信装置識別情報１を変更させることができる。ここで、所定時間の経過は、所定時刻であってもよい。この場合、一定時間ごとである必要はなく、あらかじめ定められた時刻に識別情報変更部１３に無線通信装置識別情報１を変更させる。例えば、時計をさらに備え、識別情報変更部１３は、時計の出力する時刻が所定時刻であるときに、識別情報記憶部１２に記憶されている無線通信装置識別情報１を変更し、識別情報記憶部１２が暗号化した無線通信装置識別情報１を記憶する。識別情報制御部１７が所定時間ごとに無線通信装置識別情報１を変更させるので、同一の無線通信装置識別情報１が使用される期間を所定時間に限定することができる。これにより、暗号鍵を所有しない携帯端末装置８１が通信情報５の送受信できる期間を一定時間に限定することができる。
【００６０】
識別情報制御部１７は、携帯端末通信部１１の送受信する通信情報５に付される携帯端末装置８１の識別情報と識別情報記憶部１２に記憶されている携帯端末識別情報７との一致と不一致を判定し、不一致と判定すると識別情報変更部１３に無線通信装置識別情報１を変更させることが好ましい。この場合、無線通信装置８２に備わる中央処理装置３１を用いることができる。
【００６１】
例えば、識別情報制御部１７は、機械的変化を感知する入力スイッチ４１を含み、入力スイッチ４１は機械的変化を感知すると識別情報変更部１３に無線通信装置識別情報１を変更させることが好ましい。識別情報変更部１３に無線通信装置識別情報１を変更させる入力スイッチ４１をさらに備えるので、任意のタイミングで無線通信装置識別情報１を変更することができる。入力スイッチ４１は、限定するものではなく、例えば、ボタンスイッチ、スライドスイッチ、ジョグダイアル又はトグルスイッチを用いることができる。ボタンスイッチは、例えば、手の押し又は引き動作によって操作されるボタンによって接触子を開閉するものである。スライドスイッチは、例えば、取っ手をスライド（しゅう動）することによって接触子を開閉するものである。ジョグダイアルは、例えば、取っ手を回すことによって、可動接触子が円形状に配置された固定接触子と順次接触しながら回路を切り換えるものである。トグルスイッチは、例えば、棒状の取っ手を指で相反する２方向に起倒することによって接触子を開閉するものである。なお、入力スイッチ４１としては、圧電素子に印加された圧力を感知する圧電スイッチを用いることができる。
【００６２】
識別情報制御部１７は、携帯端末通信部１１の送受信に用いられる電磁波と異なる電磁波又は当該電磁波を用いて伝送された情報を検出する識別情報検出回路３９を含み、識別情報検出回路３９は当該電磁波又は当該電磁波を用いて伝送された情報を検出すると識別情報変更部１３に無線通信装置識別情報１を変更させることが好ましい。すなわち、識別情報制御部１７は、識別情報読出部１５に記憶されている無線通信装置識別情報１を読み出すことのできる電磁波又はその電磁波で伝送される情報を検出するものである。無線通信装置識別情報１を読み出すことのできる電磁波で伝送される情報とは、例えば、無線通信装置識別情報１である。又、無線通信装置識別情報１を読み出すことのできる電磁波で伝送される情報は、例えば、識別情報読出部１５がＲＦＩＤであれば、ユニークＩＤとすることができる。このように、識別情報制御部１７は、識別情報読出部１５に記憶されている無線通信装置識別情報１が読み出されたことを検出するので、無線通信装置識別情報１が読み出されるたびに無線通信装置識別情報１を変更することができる。
【００６３】
無線通信装置８２は、図１に示す携帯端末装置８１に固有の暗号鍵８を取得する暗号鍵取得部１８をさらに備えることが好ましい。この場合、識別情報暗号化部１４は、識別情報変更部１３の変更した無線通信装置識別情報１を、暗号鍵取得部１８が取得した暗号鍵８を用いて解読可能な暗号に暗号化する。暗号鍵取得部１８の構成は限定するものではないが、例えば、下記のものを用いることができる。
【００６４】
暗号鍵取得部１８は、入力された文字列を図１に示す携帯端末装置８１に固有の暗号鍵８として取得する。文字列の入力は、例えば、無線通信装置８２に文字を入力することのできるキーパッドを用いることができる。識別情報暗号化部１４が暗号鍵取得部１８に入力された文字列を暗号鍵８とする暗号化を行うので、携帯端末装置８１があらかじめ所有しているユニークＩＤやデバイスのアドレス又はパスワード等のユーザが選択する文字列を暗号鍵８に用いることができる。
【００６５】
暗号鍵取得部１８は、携帯端末装置８１に固有の暗号鍵８を、画像を撮像して取得することが好ましい。画像の撮像は、例えば、撮像素子を用いて撮像することができる。撮像素子としては、例えば、電荷結合素子（ＣＣＤ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）がある。暗号鍵取得部１８が画像を撮像して暗号鍵８を取得するので、暗号鍵取得部１８と図１に示す携帯端末装置８１とで撮像した画像を暗号鍵８とする暗号化を識別情報暗号化部１４は行うことができる。ここで、画像はバーコードとすることができる。これにより、携帯端末装置８１がカメラツールを備えていれば、簡単な方法で携帯端末装置８１に暗号鍵８を付与することができる。又、解読の困難な暗号化を行うことができる。
【００６６】
携帯端末識別情報取得部１９は、図１に示す携帯端末装置８１に固有の識別情報である携帯端末識別情報７を外部から取得する。外部とは、無線通信装置８２の外部である。携帯端末識別情報取得部１９としては、例えば、文字列を入力するキーパッドを用いることができる。又、画像を撮像する撮像素子を用いてもよい。撮像素子は、前述の暗号鍵取得部１８で説明したものと同様のものを用いることができる。又、携帯端末識別情報取得部１９は、暗号鍵取得部１８と共通の撮像素子を用いてもよい。
【００６７】
以上説明したように、無線通信装置８２は、携帯端末通信部１１が更新された無線通信装置識別情報１を識別情報に用いて通信情報５を送受信するので、更新した無線通信装置識別情報１を取得していない携帯端末装置８１からの通信情報５の受信を防止することができる。さらに、識別情報読出部１５に記憶されている無線通信装置識別情報１が暗号化されているので、暗号を解く鍵を取得した携帯端末装置８１のみが変更後の識別情報を取得し、無線通信装置８２との通信情報５の送受信を行うことができる。これにより、無線通信装置８２と送受信することを許可された携帯端末装置８１に暗号を復号することのできる暗号鍵８を付与すれば、無線通信装置８２と送受信することを許可された携帯端末装置８１以外の携帯端末装置８１による通信情報５の受信を防止することができる。
【００６８】
図５は、携帯端末装置の一例を示す構成図である。携帯端末装置８１は、無線装置通信部２１と、無線通信装置識別情報読取部２２と、識別情報復号部２３と、を備えることを特徴とする。携帯端末装置８１は、さらに、暗号鍵取得部２４を備えることが好ましい。
【００６９】
無線装置通信部２１は、電磁波を用いて無線通信装置８２との間で通信情報５を送受信する。本実施形態に係る無線通信システムにおいては、無線装置通信部２１は、電磁波を用いて図２に示す無線通信装置８２に備わる携帯端末通信部１１との間で通信情報５を送受信する。携帯端末装置８１に備わる無線装置通信部２１は、図２に示す携帯端末通信部１１の識別情報である無線通信装置識別情報１を読み込み、該当する無線通信装置識別情報１の無線通信装置８２とリンクを確立する。無線装置通信部２１としては、例えば、Ｂｌｕｅｔｏｏｔｈ通信デバイスがある。
【００７０】
無線通信装置識別情報読取部２２は、無線装置通信部２１の送受信する通信情報５に付される無線通信装置８２の識別情報である無線通信装置識別情報１を、無線装置通信部２１の送受信に用いられる電磁波と異なる電磁波を用いて読み取る。すなわち、無線通信装置識別情報読取部２２は、図２に示す携帯端末通信部１１の送受信に用いられる電磁波と異なる電磁波を用いて読み取る。携帯端末通信部１１の送受信に用いられる電磁波と異なる電磁波は、前述の識別情報読出部１５で説明したものと同様である。無線通信装置識別情報読取部２２は、例えば、非接触ＩＣカード（ＲＦＩＤ）、無線タグ又は赤外線タグを読み出すことのできるものを用いることができる。又、バーコードリーダであってもよい。
【００７１】
識別情報復号部２３は、無線通信装置識別情報読取部２２の読み取った暗号化されている無線通信装置識別情報１を復号する。復号の方法は、前述の識別情報暗号化部１４で説明した暗号化に対応するものを用いる。暗号鍵８は、ユニークＩＤやデバイスアドレス等の携帯端末装置８１があらかじめ所有する文字列を用いることができる。又、携帯端末装置８１の外部から入力されたものであってもよい。
【００７２】
識別情報復号部２３は、暗号鍵取得部２４の取得する暗号鍵８を用いて無線通信装置識別情報読取部２２の読み取った無線通信装置識別情報１を復号することが好ましい。識別情報復号部２３が入力された文字列を用いて復号するので、携帯端末装置８１のユーザの選択した適当な文字列を用いて暗号鍵８として用いることができる。
【００７３】
暗号鍵取得部２４は、携帯端末装置８１に固有の暗号鍵８として取得するものである。暗号鍵取得部２４の具体的構成は、限定するものではないが、例えば、次に説明する２つの形態のいずれか又はこれらの組み合わせを用いることができる。
【００７４】
暗号鍵取得部２４は、入力された文字列を携帯端末装置８１に固有の暗号鍵８として取得するものである。例えば、携帯端末装置８１に備わる文字や数字を入力することのできる図１に示すダイヤルキー等のキーパッド５３を用いることができる。携帯端末装置８１がさらに暗号鍵取得部２４を備える場合、識別情報復号部２３は、暗号鍵取得部２４の取得する暗号鍵８を用いて無線通信装置識別情報読取部２２の読み取った無線通信装置識別情報１を復号する。
【００７５】
暗号鍵取得部２４は、携帯端末装置８１に固有の暗号鍵８を、画像を撮像して取得するものが好ましい。携帯端末装置８１がカメラツールの備わっているものであれば、カメラツールを用いることができる。固有の暗号鍵８は、画像であってもよい。又、撮像した画像をパターン解析し、パターンごとにコード化したものでもよい。このようなものとしてはバーコードリーダがある。バーコードは１次元であってもよいが、２次元であってもよい。この場合、識別情報復号部２３は、暗号鍵取得部２４の取得する暗号鍵８を用いて無線通信装置識別情報読取部２２の読み取った無線通信装置識別情報１を復号する。暗号鍵取得部２４が画像を撮像して暗号鍵８を取得するので、暗号鍵８を簡単に取得することができる。
【００７６】
以上説明したように、携帯端末装置８１は、無線通信装置識別情報読取部２２が暗号化されている無線通信装置識別情報１を読み取り、識別情報復号部２３が復号するので、無線装置通信部２１は変更後の無線通信装置識別情報１を用いて無線通信装置８２との間で通信情報５を送受信することができる。ここで、無線通信装置識別情報読取部２２が携帯端末通信部１１の送受信に用いられる電磁波と異なる電磁波を用いて読み取るので、無線通信装置８２に備わる識別情報読出部１５から送信された無線通信装置識別情報１を受信することができる。これにより、携帯端末装置８１は、自動的に無線通信装置識別情報１を更新することができるので、無線通信装置８２との通信情報５の送受信を自動的に継続することができる。
【００７７】
次に、本実施形態に係る無線通信システムの動作の一例について図２及び図５を用いて説明する。図５に示す携帯端末装置８１は、無線通信装置識別情報読取部２２が識別情報読出部１５に記憶されている無線通信装置識別情報１を読み出し、識別情報復号部２３が暗号化されている無線通信装置識別情報１を復号して無線通信装置８２の識別情報記憶部１２に記憶されている無線通信装置識別情報１を取得する。そして、携帯端末装置８１に備わる無線装置通信部２１は、携帯端末通信部１１の識別情報である無線通信装置識別情報１を読み込み、該当する無線通信装置識別情報１の携帯端末通信部１１とリンクを確立する。これにより、Ｂｌｕｅｔｏｏｔｈ付き携帯電話（携帯端末装置８１）は、Ｂｌｕｅｔｏｏｔｈ端末（無線通信装置８２）と直接通信することができる。
【００７８】
このとき、携帯端末装置８１がＢｌｕｅｔｏｏｔｈ通信デバイスを内蔵する携帯電話であれば、携帯電話に付属のカメラ又はＲＦリーダを無線通信装置識別情報読取部２２に用い、Ｂｌｕｅｔｏｏｔｈ端末（無線通信装置８２）に備わる識別情報読出部１５にかざすことで、無線通信装置識別情報１を読み込むことができる。
【００７９】
なお、無線通信装置識別情報１は、グローバルユニークな携帯端末装置８１に固有の識別情報ではない。例えば、無線通信装置識別情報１がネットワークの識別情報であれば、複数のＢｌｕｅｔｏｏｔｈ端末に対してマルチキャストすることも可能になる。さらに、無線通信装置識別情報１に暗号化情報等を使用することによって、より安全性の高い通信が可能となる。また、暗号化情報は時間的に変わるものを使うと特に有効である。
【００８０】
携帯端末通信部１１は、識別情報記憶部１２から無線通信装置識別情報１を読み出し、携帯端末識別情報取得部１９によって読み出した携帯端末識別情報７を通信情報５の送信先アドレスとして無線装置通信部２１に対して送信する。
【００８１】
識別情報制御部１７は、携帯端末通信部１１の受信した通信情報５に付されている携帯端末識別情報７を照合する。例えば、ユーザＩＤ、パスワード、暗号化情報、セキュリティ情報、ネットワーク情報の少なくとも１つを照合する。識別情報制御部１７は、照合して一致すれば無線通信装置識別情報１を変更せず、照合して一致しなければ無線通信装置識別情報１を変更するよう識別情報変更部１３に指示する。
【００８２】
識別情報変更部１３が無線通信装置識別情報１を変更した場合、識別情報記憶部１２に記憶されている無線通信装置識別情報１が更新され、携帯端末通信部１１は新たな無線通信装置識別情報１を用いて無線装置通信部２１と通信情報５の送受信を行う。このとき、無線装置通信部２１が、新たな無線通信装置識別情報１を取得していなければ、携帯端末通信部１１と無線装置通信部２１との間の通信は停止する。一方、携帯端末装置８１が新たな無線通信装置識別情報１を取得していれば、携帯端末通信部１１と無線装置通信部２１との間の通信は継続される。
【００８３】
以上説明したように、本実施形態に係る無線通信システムは、無線通信装置８２に備わる携帯端末通信部１１と携帯端末装置８１に備わる無線装置通信部２１とが通信情報５を送受信する無線通信システムにおいて、携帯端末通信部１１の識別情報として通信情報５に付される無線通信装置識別情報１を変更するので、無線通信装置識別情報１を更新することのできない携帯端末装置８１が通信情報５を送受信することを防ぐことができる。ここで、変更後の無線通信装置識別情報１を暗号化した上で読み出し可能とするので、暗号を解く暗号鍵８を所有する携帯端末装置８１のみが変更後の無線通信装置識別情報１を取得することができる。これにより、無線通信装置８２と送受信することを許可された携帯端末装置８１に暗号鍵８を付与すれば、無線通信装置８２と送受信することを許可された携帯端末装置８１以外の携帯端末装置８１による通信情報５の受信を防止することができる。
【産業上の利用可能性】
【００８４】
本発明は、識別情報を変更させながら通信を維持することができるので、不特定多数の人が集まる会場で、時間単位でコンテンツを提供するサービスに利用することができる。
【図面の簡単な説明】
【００８５】
【図１】本実施形態に係る無線通信システムの構成図である。
【図２】無線通信装置の一例を示す構成図である。
【図３】識別情報読出部の第１例を示す構成図である。
【図４】識別情報読出部の第２例を示す構成図である。
【図５】携帯端末装置の一例を示す構成図である。
【符号の説明】
【００８６】
１  無線通信装置識別情報
５  通信情報
７  携帯端末識別情報
８  暗号鍵
１１  携帯端末通信部
１２  識別情報記憶部
１３  識別情報変更部
１４  識別情報暗号化部
１５  識別情報読出部
１６  識別情報表示部
１７  識別情報制御部
１８、２４  暗号鍵取得部
１９  携帯端末識別情報取得部
２１  無線装置通信部
２２  無線通信装置識別情報読取部
２３  識別情報復号部
３０  電池
３１、３４  中央処理装置
３２  送受信回路
３３  電源回路
３５  メモリ
３６  ＲＦＩＤアンテナ
３７、３８  集積回路
３９  識別情報検出回路
４０  タイマー
４１  入力スイッチ
５１  無線装置通信部のアンテナ
５２  携帯端末装置の表示部
５３  キーパッド
８１  携帯端末装置
８２  無線通信装置
【図１】
0004562681.tif 000002
【図２】
0004562681.tif 000003
【図３】
0004562681.tif 000004
【図４】
0004562681.tif 000005
【図５】
0004562681.tif 000006